(57)【要約】【課題】ろ過装置に内蔵されているフィルターエレメントの洗浄を、逆洗用圧縮空気供給源、逆洗用ポンプ等を使用することなく、簡素な構成、簡単な操作で行うことができる液体貯留装置のろ過装置の提供。【解決手段】本考案は、工業用液体を貯留するための液体貯留タンク１０と、液体貯留タンクに設けられた供給用ポンプ１１とを備えた液体貯留装置のろ過装置である。ろ過装置は、工業用液体を二次ろ過した工業用液体とするためのフィルターエレメントが内蔵されているフィルター装置２０と、フィルター装置本体内の工業用液体をフィルター装置の外部に排出するためのドレン口部２１ｄと、フィルター装置の出口側から作業部位Ｗａに工業用液体を供給するための第２流通回路２５の開閉を行うための第１開閉弁２６と、フィルター装置のドレン口部から液体貯留タンクに還流させるためのドレン回路２７と、ドレン回路の開閉を行うための第２開閉弁２８とからなる。【選択図】図５
0003182493.tif 000002
【実用新案登録請求の範囲】
【請求項１】
流通回路を循環し、所定の作業を行う作業部位に供給される工業用液体を貯留するための容器である液体貯留タンク（１０）と、前記液体貯留タンクに設けられ、前記液体貯留タンクに貯留されている工業用液体を吸い上げ、吐出口から吐出して、前記作業部位に前記工業用液体を供給するための供給用ポンプ（１１）とを備えた液体貯留装置において、
前記液体貯留タンクに隣設され、前記工業用液体を二次ろ過した工業用液体とするためのフィルターエレメントが内蔵されているフィルター装置（２０）と、
前記供給用ポンプの吐出口と前記フィルター装置の入口側とを連通するための第１流通回路（２４）と、
前記フィルター装置の出口側から前記作業部位（Ｗａ）に二次ろ過した前記工業用液体を供給するための第２流通回路（２５）と、
前記第２流通回路に設けられ、前記第２流通回路の開閉を行うための第１開閉弁（２６）と、
前記フィルター装置に設けられ、フィルター装置本体内の前記工業用液体を前記フィルター装置の外部に排出するためのドレン口部（２１ｄ）と、
前記フィルター装置の前記ドレン口部から前記液体貯留タンクに前記工業用液体を還流させるためのドレン回路（２７）と、
前記ドレン回路に設けられ、前記ドレン回路の開閉を行うための第２開閉弁（２８）とからなり、
前記第１開閉弁を閉状態に、かつ、前記第２開閉弁を開状態にすることにより、前記工業用液体が、前記フィルター装置本体の内周部と前記フィルターエレメントの外周部との間の空間を流れて、前記フィルターエレメントの洗浄を行えるようにした
ことを特徴とする液体貯留装置のろ過装置。
【請求項２】
請求項１に記載された液体貯留装置のろ過装置において、
前記工業用液体は、洗浄装置において被洗浄物に洗浄処理を行う部位に供給される洗浄液、工作機械の加工部位に供給されるクーラント液、試験装置に供給される試験液から選択される１種である
ことを特徴とする液体貯留装置のろ過装置。
【請求項３】
請求項１又は２に記載された液体貯留装置のろ過装置において、
前記第１開閉弁は、電磁力の作用で前記第２流通回路の開閉を行う第１電磁弁であり、前記第２開閉弁は、電磁力の作用で前記ドレン回路の開閉を行う第２電磁弁である
ことを特徴とする液体貯留装置のろ過装置。
【請求項４】
請求項３に記載された液体貯留装置のろ過装置において、
前記液体貯留タンクには、前記ドレン回路から還流されてくる前記工業用液体の一次ろ過を行うためのかご状フィルターエレメント（１４）を内設したフィルダーバケット（１３）が設けられている
ことを特徴とする液体貯留装置のろ過装置。
【請求項５】
請求項４に記載された液体貯留装置のろ過装置において、
前記液体貯留タンクには、前記工業用液体に浮上している浮上物の除去を行うための浮上物除去装置（１５）が設けられている
ことを特徴とする液体貯留装置のろ過装置。
【請求項６】
請求項５に記載された液体貯留装置のろ過装置において、
前記液体貯留タンクには、前記液体貯留タンク内に貯留されている前記工業用液体を攪拌するための攪拌用ポンプ（１２）が設けられている
ことを特徴とする液体貯留装置のろ過装置。
【考案の詳細な説明】
【技術分野】
【０００１】
本考案は、工業用液体を貯留する液体貯留装置において、工業用液体をろ過（濾過）するための液体貯留装置のろ過装置に関する。さらに詳しくは、ろ過装置に内蔵されているフィルターエレメントの洗浄を、逆洗用圧縮空気供給源、逆洗用ポンプ等を使用することなく、簡素な構成、簡単な操作で行うことができる液体貯留装置のろ過装置に関する。
【背景技術】
【０００２】
部品等の洗浄装置、工作機械のクーラント装置等は、洗浄液、クーラント液等を循環させている。例えば、洗浄装置では、被洗浄物に洗浄液を噴射ノズルから噴射して、汚れ、切粉等異物を除去して洗浄を行う。しかしながら、洗浄液を循環させて洗浄作業を行うと、切粉、ごみ、油分等異物が洗浄液に混入してくる。そのため、洗浄装置では、良好な部品洗浄を行うために、フィルターエレメントを備えたろ過装置で、ダーティな洗浄液をクリーンな洗浄液にろ過する等洗浄液の管理を行っている。クーラント装置でも同様のことが発生するため、特に精密な加工を行う工作機械では、クーラント液と切屑、研削屑等との分離を確実に行うため、クーラント液をろ過する等クーラント液の管理を行っている。
【０００３】
しかしながら、長時間に亘って、部品洗浄を行っていると、汚れ、浮遊物等異物がフィルターエレメントに付着して目詰まりが生じ、ろ過装置で所望の洗浄液管理、クーラント液管理を行うことができない。そのため、ろ過装置は、通常の部品洗浄時の洗浄液の流れとは逆方向に洗浄液を流すことによりフィルターエレメントの目詰まりを解消する逆洗（又は逆洗浄）などと呼ばれる作業が行われることがある。
【０００４】
特許文献に基づいて、クーラント液、洗浄液の逆洗について、さらに説明を行う。
例えば、洗浄液タンク内の洗浄液を第２水中ポンプの作動によりフィルタ装置に送られ、フィルタが逆洗されて目詰まりが解消されるフィルタ装置に関する技術が知られている（例えば、特許文献１参照）。又、エア源からの加圧された空気をケーシング内に流入させ、このエア圧によって濾過フィルタ内のクーラントが濾過フィルタの内側から外側に向かって噴出させ逆洗を行う技術も知られている（例えば、特許文献２参照）。
【先行技術文献】
【特許文献】
【０００５】
【特許文献１】特開２００６−３４１１６６号公報
【特許文献２】特開２００４−７４３５８号公報
【考案の概要】
【考案が解決しようとする課題】
【０００６】
しかしながら、特許文献１、２の技術は、逆洗を行うために第２水中ポンプやエア源が必要なものであり、構成が簡素でなく、経済性がよくないおそれがあるという問題点があった。又、ろ過装置のフィルターエレメントによりクリーンにしたクーラント液、洗浄液を貯留するためのクリーンタンクを必要とし、装置を大型化してしまうおそれがあるという問題点も生じていた。
そこで、簡素な構成で、フィルターエレメントの洗浄を簡単に行える液体貯留装置のろ過装置に関する技術の開発が要望されている。
【０００７】
本考案は、このような従来の問題点を解決するためになされたもので、次の目的を達成する。
本考案の目的は、工業用液体をろ過するろ過装置において、圧縮空気供給源、逆洗用ポンプを使用することなく、簡単な開閉弁の切り換え操作のみで、フィルターエレメントの洗浄を行えるようにした液体貯留装置のろ過装置を提供することにある。
【課題を解決するための手段】
【０００８】
本考案は、前記目的を達成するための次の手段を有する。
本考案１の液体貯留装置のろ過装置は、流通回路を循環し、所定の作業を行う作業部位に供給される工業用液体を貯留するための容器である液体貯留タンクと、前記液体貯留タンクに設けられ、前記液体貯留タンクに貯留されている工業用液体を吸い上げ、吐出口から吐出して、前記作業部位に前記工業用液体を供給するための供給用ポンプとを備えた液体貯留装置において、前記液体貯留タンクに隣設され、前記工業用液体を二次ろ過した工業用液体とするためのフィルターエレメントが内蔵されているフィルター装置と、前記供給用ポンプの吐出口と前記フィルター装置の入口側とを連通するための第１流通回路と、前記フィルター装置の出口側から前記作業部位に二次ろ過した前記工業用液体を供給するための第２流通回路と、前記第２流通回路に設けられ、前記第２流通回路の開閉を行うための第１開閉弁と、前記フィルター装置に設けられ、フィルター装置本体内の前記工業用液体を前記フィルター装置の外部に排出するためのドレン口部と、前記フィルター装置の前記ドレン口部から前記液体貯留タンクに前記工業用液体を還流させるためのドレン回路と、前記ドレン回路に設けられ、前記ドレン回路の開閉を行うための第２開閉弁とからなり、前記第１開閉弁を閉状態に、かつ、前記第２開閉弁を開状態にすることにより、前記工業用液体が、前記フィルター装置本体の内周部と前記フィルターエレメントの外周部との間の空間を流れて、前記フィルターエレメントの洗浄を行えるようにしたことを特徴とする。
【０００９】
本考案２の液体貯留装置のろ過装置は、本考案１において、前記工業用液体は、洗浄装置において被洗浄物に洗浄処理を行う部位に供給される洗浄液、工作機械の加工部位に供給されるクーラント液、試験装置に供給される試験液から選択される１種であることを特徴とする。
【００１０】
本考案３の液体貯留装置のろ過装置は、本考案１又は２において、前記第１開閉弁は、電磁力の作用で前記第２流通回路の開閉を行う第１電磁弁であり、前記第２開閉弁は、電磁力の作用で前記ドレン回路の開閉を行う第２電磁弁であることを特徴とする。
【００１１】
本考案４の液体貯留装置のろ過装置は、本考案３において、前記液体貯留タンクには、前記ドレン回路から還流されてくる前記工業用液体の一次ろ過を行うためのかご状フィルターエレメントを内設したフィルダーバケットが設けられていることを特徴とする。
【００１２】
本考案５の液体貯留装置のろ過装置は、本考案４において、前記液体貯留タンクには、前記工業用液体に浮上している浮上物の除去を行うための浮上物除去装置が設けられていることを特徴とする。
【００１３】
本考案６の液体貯留装置のろ過装置は、本考案５において、前記液体貯留タンクには、前記液体貯留タンク内に貯留されている前記工業用液体を攪拌するための攪拌用ポンプが設けられていることを特徴とする。
【考案の効果】
【００１４】
本考案の液体貯留装置のろ過装置は、二次ろ過（精密ろ過）を行うためのフィルター装置のフィルターエレメントの洗浄を行うために、ドレン回路と、第２流通回路を開閉する第１開閉弁、ドレン回路を開閉する第２開閉弁を設けただけの簡素な構成のものであり、逆洗を行うための圧縮空気供給源、逆洗用ポンプを必要としない。又、フィルターエレメントの洗浄作業は、この２つの第１開閉弁、第２開閉弁を開閉する操作を行うだけであり、制御もたいへん容易である。このように、簡素な構成のものを簡単な操作制御を行うことにより、フィルターエレメントの洗浄作業を信頼性高く行え、目詰まりが解消できるようになった。そのため、このろ過装置は、ろ過精度の低下を防止でき、高寿命化が図れ、経済的効果も大きいものとすることができる。又、フィルターエレメントの寿命を数倍延ばすことができる。さらに、このろ過装置を備えることによりクリーンな工業用液体を貯留する貯留タンクを設ける必要がないので、設置面積の省スペース化が図れる。
【００１５】
工業用液体が洗浄液の場合、このろ過装置を使用することにより、洗浄装置において安定した洗浄効果を得ることができる。又、工業用液体がクーラント液の場合、このろ過装置を使用することにより、高圧クーラントを行うための高圧ポンプの寿命を延ばすことができる。さらに、工業用液体が試験液の場合、このろ過装置を使用することにより、試験結果を安定させることができる。
【図面の簡単な説明】
【００１６】
【図１】図１は、本考案の液体貯留装置のろ過装置の正面図である。
【図２】図２は、本考案の液体貯留装置のろ過装置の平面図である。
【図３】図３は、本考案の液体貯留装置のろ過装置の側面図である。
【図４】図４は、本考案の作用を説明するための図であって、洗浄部位に洗浄液を噴射している状態を模式的に示した説明図である。
【図５】図５は、本考案の作用を説明するための図であって、フィルターエレメントを洗浄している状態を模式的に示した説明図である。
【考案を実施するための形態】
【００１７】
以下、本考案の液体貯留装置のろ過装置の実施の形態を、図１から図５に基づいて詳細に説明する。
図１は、本考案の液体貯留装置のろ過装置の正面図、図２は、液体貯留装置のろ過装置の平面図、図３は、液体貯留装置のろ過装置の側面図である。図４は、本考案の作用を説明するための図であって、洗浄部位に洗浄液を噴射している状態を模式的に示した説明図、図５は、フィルターエレメントを洗浄している状態を模式的に示した説明図である。なお、この形態でいう工業用液体とは、洗浄装置で被洗浄物をノズル等から噴射して洗浄を行うための洗浄液、工作機械の加工部位、工具刃先等に供給されるクーラント液、各種試験を行うための試験液等であり、この形態の説明では、洗浄液を貯留している液体貯留装置のろ過装置として説明を行う。
【００１８】
図１から図５に示すように、液体貯留装置のろ過（濾過）装置（以下、ろ過装置と記載）１は、かご状フィルターエレメント１４、フィルター装置２０、第１開閉弁２６、第２開閉弁２８等から構成されている。床面に設置されているオイルパン３０の上部には、液体貯留タンク１０が設けられている。オイルパン３０は、新しい洗浄液に交換する際などに、洗浄液が床面にこぼれて床面を汚してしまうことを防止するためのものである。液体貯留タンク１０は、平面視したとき内部の角部がＲ形状をしている容器であって、洗浄液が貯留されている。液体貯留タンク１０の角部がＲ状になっているのは、角部にスラッジ等異物が堆積することを防止するためである。液体貯留タンク１０の上部には、蓋体３１が設けられている。この蓋体３１は所定の大きさに分割されて、液体貯留タンク１０の上部の開口部を覆うためのものであり、液体貯留タンク１０内にゴミ、粉塵等異物が入り込むことを防止している。
【００１９】
液体貯留タンク１０の上部には、フィルターバケット１３が設けられている。フィルダーバケット１３内には、かご状フィルターエレメント１４が配置されている。このかご状フィルターエレメント１４は、例えば、ナイロン製のメッシュかご、ペーパーフィルター製かご等からなるものである。このかご状フィルターエレメント１４は、洗浄装置で洗浄作業を行って汚れたダーティな洗浄液が液体貯留タンク１０に戻ってくるとき、ダーティな洗浄液を受け入れて一次ろ過するものである。又、後述するフィルター装置２０のフィルターエレメント２２の洗浄を行って汚れたダーティな洗浄液を受け入れて一次ろ過するものでもある。この一次ろ過により、供給用ポンプ１１において、吸引可能なレベルにろ過された洗浄液とすることができる。又、かご状フィルターエレメント１４に捕集された異物は、異物が所定量以上溜まったと判断された時や所定の期間毎に、作業者が廃棄処分作業を行う。
【００２０】
蓋体３１には、供給用ポンプ１１が設けられている。供給用ポンプ１１は、液体貯留タンク１０内に貯留された洗浄液を吸い上げ口から吸い上げ、洗浄液を吐出口から吐出する。オイルパン３０の上部であって、液体貯留タンク１０に隣設する位置には、フィルター装置２０が設けられている。又、蓋体３１には、液体貯留タンク１０内の洗浄液を攪拌するための攪拌用ポンプ１２が設けられている。この攪拌用ポンプ１２を設けて、洗浄液を攪拌することにより、洗浄液の液体温度を均一化するとともに、液体貯留タンク１０内の混入された異物が沈殿しにくくなり、フィルターエレメント２２の洗浄を行った時、かご状フィルターエレメント１４で捕集される。
【００２１】
このフィルター装置２０は、洗浄液の二次ろ過（精密ろ過）を行うためのものである。フィルター装置２０は、フィルター装置２０の筐体を構成するフィルター装置本体２１と、フィルター装置本体２１に内蔵されているフィルターエレメント２２と、フィルターエレメント２２の下方側に設けられ、フィルター装置２０を第１の室２０Ａ、第２の室２０Ｂとに仕切るための隔壁部２３と、フィルター装置本体２１の上部の開口部を覆っている上蓋２１ｅ等から構成されている。フィルター装置本体２１には、第１の室２０Ａ内に一次ろ過された洗浄液を流入させるための入口部２１ｂと、第２室２０Ｂ内から二次ろ過（精密ろ過）されたクリーンな洗浄液を流出させるための出口部２１ｃとが設けられている。上蓋２１ｅには、第１の室２０Ａからフィルター装置２０の外部に、フィルターエレメント２２を洗浄したダーティな洗浄液を流出させるためのドレン口部２１ｄが設けられている。なお、この形態では、第１の室２０Ａの下部に第２の室２０Ｂを設けた構成のフィルター装置２０として説明を行っているが、第１の室２０Ａの上部側に第２の室２０Ｂを設けた構成のフィルター装置であってもよい。
【００２２】
供給用ポンプ１１と、フィルター装置２０との間には、供給用ポンプ１１の吐出口とフィルター装置２０の入口部２１ｂとを連通させ、供給用ポンプ１１が吐出した洗浄液をフィルター装置２０に送出するために、洗浄液を流通させる第１流通回路２４が設けられている。供給用ポンプ１１から吐出された洗浄液は、第１流通回路２４内を流れて、フィルター装置２０内に流入する。
【００２３】
フィルターエレメント２２は、入口部２１ｂから流入した一次ろ過された洗浄液を二次ろ過（精密ろ過）して、出口部２１ｃからクリーンな洗浄液として流出させるためのものである。フィルターエレメント２２は、フィルター装置本体２１内に複数本（例えば、７本）設けられている。フィルターエレメント２２は、所定のろ過精度（フィルターで捕集対象する粒子径をミクロンで表した値）を有するものである。フィルターエレメント２２は、外周部２２ａ側から内周部側に一次ろ過された洗浄液が通過するとき、クリーンな液体成分のみを通過させ、洗浄液に含有されていた異物を通過させないことで、洗浄液のろ過を行うものである。フィルターエレメント２２により二次ろ過（精密ろ過）された洗浄液は、フィルターエレメント２２が第２の室２０Ｂ側に突き出すように設けられた端部２２ｂから第２の室２０Ｂ内に流入する。この形態のフィルターエレメント２２は、例えば１０ミクロンのろ過精度のものとなっている。又、ろ過精度を上げたい場合には、５ミクロン、３ミクロンなどのものとすることができる。
【００２４】
フィルター装置本体２１の出口部２１ｃと洗浄装置（図示せず）の洗浄部位Ｗａとの間には第２流通回路２５が設けられている。第２流通回路２５の途中には、第１開閉弁２６が設けられている。この形態の第１開閉弁２６は電磁弁であり、一方のソレノイド２６ａを励磁し、他方のソレノイド２６ｂを消磁することにより、第２流通回路２５は閉状態となる。言い換えると、第２流通回路２５が第１開閉弁２６の位置で遮断された状態となり、洗浄液が洗浄装置側に送出されることがない。又、他方のソレノイド２６ｂを励磁し、一方のソレノイド２６ａを消磁することにより、第２流通回路２５は開状態となる。言い換えると、第２流通回路２５途中の第１開閉弁２６が連通した状態となり、クリーンな洗浄液が洗浄装置側に送出され洗浄ノズル（図示せず）から噴射される。
【００２５】
フィルター装置２０は、所定の時間、二次濾過（精密ろ過）を行っていると、フィルターエレメント２２の外周部２２ａに、異物が付着して、フィルターエレメント２２に目詰まりが発生する。フィルターエレメント２２の目詰まりは、外周部２２ａ側から内周部側への洗浄液の通過、流入を阻害し、洗浄装置に十分な量が送出されず洗浄性能の低下を招いてしまう。又、液体貯留装置、洗浄装置等の故障の原因となるおそれが生じる。そのため、このろ過装置１では、フィルターエレメント２２の洗浄を行うための機能が設けられている。フィルター装置２０の上蓋２１ｅのドレン口部２１ｄと液体貯留タンク１０との間には、ドレン回路２７が設けられている。ドレン回路２７の途中には、第２開閉弁２８が設けられている。
【００２６】
この形態の第２開閉弁２８は電磁弁であり、一方のソレノイド２８ａを励磁し、他方のソレノイド２８ｂを消磁することにより、ドレン回路２７は閉状態となる。言い換えると、ドレン回路２７が遮断された状態となり、フィルター装置本体２１内の洗浄液が液体貯留タンク１０側にドレン回路２７を介して還流することがない。又、他方のソレノイド２８ｂを励磁し、一方のソレノイド２８ａを消磁することにより、ドレン回路２７は開状態となる。言い換えると、ドレン回路２７が連通された状態となり、フィルター装置本体２１内の洗浄液が液体貯留タンク１０側にドレン回路２７を介して還流可能となる。第１開閉弁２６、第２開閉弁２８は、図示しない制御装置により制御される。例えば、操作盤（図示せず）に、「洗浄」と「フィルターエレメント洗浄」とに切り換える切換スイッチを設け、この切換スイッチを選択することにより、第１開閉弁２６、第２開閉弁２８が制御装置により制御されるとよい。なお、この形態の説明では、第１開閉弁、第２開閉弁を電磁弁として説明を行っているが、手動式の第１開閉弁、第２開閉弁であってもよい。
【００２７】
液体貯留タンク１０には、貯留されている洗浄液の液面の高さを表示するための液面計１７が設けられている。この形態の液面計１７は、液面に浮いているステンレス製のフロート１７ａが上下動することにより液面の高さを表示するフロート式液面計である。この液面計１７には、液面の上限位置、下限位置に達したことを検知して信号を発するようになっている。例えば、下限位置は、洗浄液加温体１８の上面位置より所定量高い位置に設定されている。
【００２８】
又、液体貯留タンク１０には、貯留されている洗浄液の温度を測定するための測温体１９が設けられている。又、液体貯留タンク１０には、洗浄液を所定の温度にするための洗浄液加温体（液体加温体）１８が設けられている。この形態の洗浄液加温体１８は、空焚き防止機能付のステンレスヒーターである。すなわち、液体貯留タンク１０内の洗浄液は、測温体１９で測定された温度データに基づいて洗浄液加温体１８が、制御装置（図示せず）によって制御され、所定の温度範囲内の液体となっている。
【００２９】
さらに、液体貯留タンク１０には、洗浄液に浮遊、浮上している異物である浮遊物、浮上物を除去するための浮上物除去装置であるオイルスキマー１５が設けられている。このオイルスキマー１５は、液体貯留タンク１０内の洗浄液に浮上している浮上物等を金属製ベルト１５ａに付着させて液体貯留タンク１０の上部に取り出し、付着している浮上物等を掻き取り浮上物回収容器１６に回収する。この浮上物とは、油成分等の洗浄液と異なる成分のものである。
【００３０】
このろ過装置１は、フィルターエレメント２２の洗浄を行うために、ドレン回路２７と、第２流通回路２５を開閉する第１開閉弁２６と、ドレン回路２７を開閉する第２開閉弁２８とを付加しただけの簡素な構成のものであり、逆洗を行うための圧縮空気供給源、逆洗用ポンプを必要としない。又、フィルターエレメント２２の洗浄作業は、この第１開閉弁２６、第２開閉弁２８を開閉する操作を行うだけであり、制御もたいへん容易である。このように、簡素な構成のものを簡単な操作制御を行うことにより、フィルターエレメント２２の洗浄作業を信頼性高く行えるようになった。そのため、このろ過装置１は、ろ過精度の低下を防止でき、フィルターエレメントの高寿命化が図れ、経済的効果も大きいものとすることができる。例えば、フィルターエレメント２２は、寿命が数倍（３〜４倍）延び、交換期間が延びることで稼働率を向上させることができる。さらに、洗浄液貯留装置（液体貯留装置）は、このろ過装置１を備えることによりクリーンな洗浄液を貯留するためのタンクを設ける必要がないので、設置面積の省スペース化が図れる。
【００３１】
このろ過装置１の作用について説明を行う。
図４は、洗浄部位に洗浄液を噴射している状態を模式的に示した説明図、図５は、フィルターエレメントを洗浄している状態を模式的に示した説明図である。
ろ過装置１のフィルター装置２０を介して二次ろ過（精密ろ過）されたクリーンな洗浄液により、洗浄作業を行う場合には、例えば、操作盤（図示せず）の切換スイッチを「洗浄」にし、「スタート」釦スイッチを押圧する。制御装置（図示せず）は、第１開閉弁２６を開状態にし、第２開閉弁２８を閉状態とする。言い換えると、制御装置は、第１開閉弁２６の他方のソレノイド２６ｂを励磁状態にし、一方のソレノイド２６ａを消磁状態にして第１開閉弁２６を開状態とする。又、制御装置は、第２開閉弁２８の一方のソレノイド２８ａを励磁状態にし、他方のソレノイド２８ｂを消磁状態にして第２開閉弁２８を閉状態とし、供給用ポンプ１１を起動させる。
【００３２】
供給用ポンプ１１の作用により第１流通回路２４に供給された一次ろ過された洗浄液は、第１流通回路２４内を矢印ｆ１方向に、フィルター装置２０内を矢印ｆ２、矢印ｆ３、矢印ｆ４方向に、第２流通回路２５内を矢印ｆ５、矢印ｆ６方向に流れて、洗浄部位Ｗａに供給される（図４参照）。すなわち、フィルターエレメント２２の外周部２２ａ側から内周部側に、矢印ｆ３方向に一次ろ過された洗浄液が通過、流入するとき、洗浄液の二次ろ過（精密ろ過）が行われる。洗浄装置において洗浄ノズル等から噴出された洗浄液は、被洗浄物（図示せず）の洗浄部位Ｗａに対する洗浄作業を行う。洗浄を行って汚れたダーティな洗浄液は、図示しない還流路を流れて、フィルターバケット１３、フィルターバケット１３内のかご状フィルターエレメント１４を介して一次ろ過され、液体貯留タンク１０に戻る。このように、フィルター装置２０で二次ろ過（精密ろ過）されたクリーンな洗浄液は、外気に触れることなく洗浄部位に洗浄ノズルから噴射され洗浄作業を行う。洗浄作業を中止する場合には、操作盤の「ストップ」釦スイッチを押圧する。
【００３３】
フィルターエレメント２２の洗浄を行う場合には、例えば、操作盤（図示せず）の切換スイッチを「フィルターエレメント洗浄」にし、「スタート」釦スイッチを押圧する。制御装置（図示せず）は、第１開閉弁２６を閉状態とし、第２開閉弁２８を開状態とする。言い換えると、制御装置は、第１開閉弁２６の一方のソレノイド２６ａを励磁状態にし、他方のソレノイド２６ｂを消磁状態にして第１開閉弁２６を閉状態とする。又、制御装置は、第２開閉弁２８の他方のソレノイド２８ｂを励磁状態にし、一方のソレノイド２８ａを消磁状態にして第２開閉弁２８を開状態とし、供給用ポンプ１１を起動させる。供給用ポンプ１１の作用により供給された洗浄液は、第１流通回路２４内を矢印ｆ１方向に、フィルター装置２０内を矢印ｆ２、矢印ｆ１０方向に、ドレン回路２７内を矢印ｆ１１、矢印ｆ１２方向に流れて、フィルターエレメント２２の洗浄を行う（図５参照）。すなわち、洗浄液が、フィルター装置本体２１の内周部２１ａとフィルターエレメント２２の外周部２２ａとの間の空間を、矢印ｆ１０方向に流れ、この洗浄液の流れにより、フィルターエレメント２２の洗浄が行われる。フィルターエレメント洗浄作業を中止する場合には、操作盤の「ストップ」釦スイッチを押圧する。
【００３４】
この洗浄では、フィルターエレメント２２の外周部２２ａに付着していた異物の分離が行なわれ、分離された異物が洗浄液の流れに乗って洗浄液とともに流れていく。フィルターエレメント２２の洗浄を行って汚れたダーティな洗浄液は、ドレン回路２７を流れ、フィルターバケット１３、フィルターバケット１３内のかご状フィルターエレメント１４を介して一次ろ過され、液体貯留タンク１０に戻る。フィルターエレメント２２は、このような洗浄を行うことにより、寿命を数倍（例えば、３〜４倍）延ばすことができる。又、洗浄装置が洗浄作業を行っていないとき、第１開閉弁２６、第２開閉弁２８を切り換える操作を行うことによりフィルターエレメント２２の洗浄を行うことができるので、洗浄装置の稼働率を向上させることができる。又、洗浄装置は、このろ過装置１を使用することにより、安定した洗浄効果を得ることができる。
【００３５】
以上、本考案の実施の形態を説明したが、本考案はこれに限定されるものではない。本考案の、目的、趣旨を逸脱しない範囲内での変更が可能なことはいうまでもない。例えば、工作機械の加工部位、工具刃先等に供給されるクーラント液のろ過を行うろ過装置、各種試験を行うための試験液のろ過を行うろ過装置であってもよい。このろ過装置は、クーラント液のろ過を行うことで、高圧クーラントを行うための高圧ポンプの寿命を延ばすことができる。又、ろ過装置は、試験液のろ過を行うことで、試験装置における試験結果を安定させることができる。
【符号の説明】
【００３６】
１  …  液体貯留装置のろ過装置
１０  …  液体貯留タンク
１１  …  供給用ポンプ
１２  …  攪拌用ポンプ
１３  …  フィルターバケット
１４  …  かご状フィルターエレメント
１５  …  浮上物除去装置（オイルスキマー）
１６  …  浮上物回収容器
１７  …  液面計
１８  …  液体加温体（洗浄液加温体）
１９  …  測温体
２０  …  フィルター装置
２０Ａ  …  第１の室
２０Ｂ  …  第２の室
２１  …  フィルター装置本体
２２  …  フィルターエレメント
２３  …  隔壁部
２４  …  第１流通回路
２５  …  第２流通回路
２６  …  第１開閉弁
２７  …  ドレン回路
２８  …  第２開閉弁
３０  …  オイルパン
３１  …  蓋体
【図１】
0003182493.tif 000003
【図２】
0003182493.tif 000004
【図３】
0003182493.tif 000005
【図４】
0003182493.tif 000006
【図５】
0003182493.tif 000007